【手続補正書】
【提出日】平成19年1月25日(2007.1.25)
【手続補正１】
【補正対象書類名】特許請求の範囲
【補正対象項目名】全文
【補正方法】変更
【補正の内容】
【特許請求の範囲】
【請求項１】
被写体を撮像する撮像手段と、
前記撮像手段により撮像される被写体の画像をモニタ表示する表示手段と、
前記表示手段のモニタ画面内に任意の部分領域を設定する部分領域設定手段と、
前記表示手段の前記モニタ画面の全体に第１の画像を表示する第１の制御手段と、
前記第１の制御手段により前記モニタ画面の全体に前記第１の画像が表示された状態で、前記撮像手段により新たに撮像される第２の画像を前記部分領域設定手段により設定された部分領域内に表示する第２の制御手段と、
前記部分領域設定手段により設定された部分領域に対応する前記第１の画像内の部分領域に前記第２の画像が挿入された形態の画像データとして、前記第１の画像と前記第２の画像とを対応付けて記録する記録制御手段と、
を具備したことを特徴とする撮像装置。
【請求項２】
前記第１の制御手段は、前記撮像手段により撮像された第１の画像を前記モニタ画面の全体に表示し、
前記記録制御手段は、前記撮像手段により撮像された第１の画像を前記第２の画像と対応付けて記録することを特徴とする請求項１記載の撮像装置。
【請求項３】
前記第１の制御手段は、前記第１の画像である第１の静止画像を前記モニタ画面の全体に表示し、
前記第２の制御手段は、前記第１の制御手段により前記第１の静止画像が前記モニタ画面の全体に表示された状態で、前記撮像手段により逐次撮像される複数の画像を、前記第２の画像である第２の動画像として前記部分領域内に逐次表示していき、
前記記録制御手段は、前記部分領域設定手段により設定された部分領域に対応する前記第１の静止画像内の部分領域に前記第２の動画像が挿入された形態の画像データとして、前記第１の静止画像と前記第２の動画像とを対応付けて記録することを特徴とする請求項１記載の撮像装置。
【請求項４】
前記部分領域設定手段は、前記表示手段のモニタ画面の全体に前記第１の画像が表示された状態でのユーザ指示に応じて前記部分領域を任意に設定することを特徴とする請求項１記載の撮像装置。
【請求項５】
前記記録制御手段は、前記撮像手段により撮像される画像全体の中から前記部分領域設定手段により設定された部分領域に対応する部分画像を抽出して前記第２の画像として記録することを特徴とする請求項１記載の撮像装置。
【請求項６】
前記記録手段に記録された画像データの再生が指示された場合に、該画像データに含まれる前記第１の画像を再生して表示領域の全体に表示するとともに、該画像データに含まれる前記第２の画像を再生して、前記部分領域設定手段により設定された部分領域に対応する前記第１の画像内の部分領域に表示させる再生手段を更に備えたことを特徴とする請求項１乃至５のいずれかに記載の撮像装置。
【請求項７】
前記再生手段は、前記記録手段に記録された画像データの再生が指示された場合に、該画像データに含まれる前記第１の画像を再生して表示領域の全体に表示した後、所定のタイミングで該画像データに含まれる前記第２の画像を再生して、前記部分領域設定手段により設定された部分領域に対応する前記第１の画像内の部分領域に表示させることを特徴とする請求項６記載の撮像装置。
【請求項８】
前記記録手段に記録された画像データの再生が指示された場合に、該画像データに第１の静止画像と第２の動画像が含まれていた場合に、表示領域の全体に前記第１の静止画像を静止画として再生表示した後、前記部分領域設定手段により設定された部分領域に対応する前記第１の静止画像内の部分領域に、前記第２の動画像を所定のタイミングで動画として再生表示させる再生手段を更に備えたことを特徴とする請求項３記載の撮像装置。
【請求項９】
前記第１の制御手段により前記第１の画像の撮像および表示が行われる前、または、前記第２の制御手段により前記第２の画像の撮像および表示が行われた後に、前記モニタ画面の全体に対応する第３の画像を前記撮像手段により撮像する第３の制御手段を更に備え、
前記記録制御手段は、前記画像データとして、前記第１の画像と前記第２の画像と前記第３の画像とを対応付けて記録することを特徴とする請求項３記載の撮像装置。
【請求項１０】
前記記録手段に記録された画像データの再生が指示された場合に、該画像データに第１の静止画像と第２の動画像が含まれていた場合に、表示領域の全体に前記第１の静止画像を静止画として再生表示した後、前記部分領域設定手段により設定された部分領域に対応する前記第１の静止画像内の部分領域に、前記第２の動画像を所定のタイミングで動画として再生表示させる再生手段を更に備え、
前記再生手段は、再生が指示された画像データに前記第３の画像が含まれていた場合に、前記第１の画像の再生表示を開始する前、または、前記第２の画像の再生表示を終了した後に、前記第３の画像を再生表示させることを特徴とする請求項９記載の撮像装置。
【請求項１１】
前記第１の制御手段による前記第１の画像の撮影または表示のタイミングに対する前記第２の制御手段による前記第２の画像の撮影または表示のタイミングをスケジュール設定するスケジュール設定手段を更に備え、
前記第２の制御手段は、前記第１の制御手段により前記第１の画像の撮影または表示が行われた後、前記スケジュール設定手段により設定された撮影または表示のタイミングに従って、前記第２の画像の撮影または表示を行うことを特徴とする請求項１記載の撮像装置。
【請求項１２】
被写体を撮像する撮像手段と、
前記撮像手段により撮像される被写体の画像をモニタ表示する表示手段と、
前記表示手段の前記モニタ画面の全体に前記表示手段により撮像される第１の画像を表示する第１の制御手段と、
前記第１の制御手段により表示されている前記第１の画像の中で動きのある部分を検出する動き部分検出手段と、
前記動き部分検出手段によって検出された動き部分に対応した部分領域を前記表示手段のモニタ画面内に設定する部分領域設定手段と、
前記第１の制御手段により前記モニタ画面の全体に前記第１の画像が表示された状態で、前記撮像手段により新たに撮像される第２の画像を前記部分領域設定手段により設定された部分領域内に表示する第２の制御手段と、
を具備したことを特徴とする撮像装置。
【請求項１３】
前記部分領域設定手段により設定された部分領域に対応する前記第１の画像内の部分領域に前記第２の画像が挿入された形態の画像データとして、前記第１の画像と前記第２の画像とを対応付けて記録する記録制御手段を更に備えたことを特徴とする請求項１２記載の撮像装置。
【請求項１４】
前記部分領域のサイズを指定するサイズ指定手段を更に備え、
前記部分領域設定手段は、前記動き部分検出手段によって検出された動き部分に対応する前記サイズ指定手段により指定されたサイズの部分領域を前記表示手段のモニタ画面内に設定することを特徴とする請求項１２乃至１３のいずれかに記載の撮像装置。
【請求項１５】
動き量を指定する動き量指定手段を更に備え、
前記動き部分検出手段は、前記静止画の中で前記動き量指定手段によって指定された動き量以上の動きのある部分を検出することを特徴とする請求項１２乃至１４のいずれかに記載の撮像装置。
【請求項１６】
前記部分領域設定手段は、前記動き部分検出手段によって検出された動き部分の中心を求め、その中心位置に合わせて前記サイズ指定手段によって指定されたサイズを有する部分領域を設定することを特徴とする請求項請求項１４記載の撮像装置。
【請求項１７】
前記第１の制御手段は、前記第１の画像である第１の静止画像を前記モニタ画面の全体に表示し、
前記第２の制御手段は、前記第１の制御手段により前記第１の静止画像が前記モニタ画面の全体に表示された状態で、前記撮像手段により逐次撮像される複数の画像を、前記第２の画像である第２の動画像として前記部分領域内に逐次表示していき、
前記記録制御手段は、前記部分領域設定手段により設定された部分領域に対応する前記第１の静止画像内の部分領域に前記第２の動画像が挿入された形態の画像データとして、前記第１の静止画像と前記第２の動画像とを対応付けて記録することを特徴とする請求項１２乃至１６のいずれかに記載の撮像装置。
【請求項１８】
前記記録手段に記録された画像データの再生が指示された場合に、該画像データに第１の静止画像と第２の動画像が含まれていた場合に、表示領域の全体に前記第１の静止画像を静止画として再生表示した後、前記部分領域設定手段により設定された部分領域に対応する前記第１の静止画像内の部分領域に、前記第２の動画像を所定のタイミングで動画として再生表示させる再生手段を更に備えたことを特徴とする請求項１７記載の撮像装置。
【請求項１９】
被写体を撮像する撮像手段と、
前記撮像手段により撮像される被写体の画像をモニタ表示する表示手段と、
前記表示手段の前記モニタ画面の全体に前記撮像手段により撮像された第１の画像を表示する第１の制御手段と、
前記表示手段の前記モニタ画面の全体に前記第１の画像が表示された状態で、該モニタ画面内に任意の部分領域を設定する部分領域設定手段と、
前記撮像手段により新たに撮像される画像全体の中から前記部分領域設定手段により設定された部分領域に対応する部分画像を抽出して第２の画像として該部分領域内に表示する第２の制御手段と、
前記部分領域設定手段により設定された部分領域に対応する前記第１の画像内の部分領域に前記第２の画像が挿入された形態の画像データとして、前記第１の画像と前記第２の画像とを対応付けて記録する記録制御手段と、
を具備したことを特徴とする撮像装置。
【請求項２０】
被写体を撮像する撮像手段と、
前記撮像手段により撮像される被写体の画像をモニタ表示する表示手段と、
前記表示手段のモニタ画面内に複数の部分領域を設定する部分領域設定手段と、
前記撮像手段により撮像される複数の画像を前記部分領域設定手段により設定された複数の部分領域内に表示する制御手段と、
前記部分領域設定手段により設定された複数の部分領域の各々に前記制御手段により撮像された複数の画像が挿入された形態の画像データとして、前記第１の画像と前記第２の画像とを対応付けて記録する記録制御手段と、を備え、
前記制御手段は、前記撮像手段により最初に撮像される画像を前記部分領域設定手段により設定された複数の部分領域の１つに表示し、前記撮像手段により次に撮像される画像を前記部分領域設定手段により設定された残りの部分領域の１つに表示することを特徴とする撮像装置。
【請求項２１】
被写体を撮像する撮像手段と、前記撮像手段により撮像される被写体の画像をモニタ表示する表示手段と、を備えた撮像装置を制御する画像処理方法であって、
前記表示手段のモニタ画面内に任意の部分領域を設定する部分領域設定ステップと、
前記表示手段の前記モニタ画面の全体に第１の画像を表示する第１の制御ステップと、
前記モニタ画面の全体に前記第１の画像が表示された状態で、前記撮像手段により新たに撮像される第２の画像を前記部分領域内に表示する第２の制御ステップと、
前記部分領域に対応する前記第１の画像内の部分領域に前記第２の画像が挿入された形態の画像データとして、前記第１の画像と前記第２の画像とを対応付けて記録する記録制御ステップと、
を備えたことを特徴とする画像処理方法。
【請求項２２】
被写体を撮像する撮像手段と、前記撮像手段により撮像される被写体の画像をモニタ表示する表示手段と、を備えた撮像装置を制御する画像処理方法であって、
前記表示手段の前記モニタ画面の全体に前記表示手段により撮像される第１の画像を表示する第１の制御ステップと、
前記第１の制御ステップで表示された前記第１の画像の中で動きのある部分を検出する動き部分検出ステップと、
前記動き部分検出ステップによって検出された動き部分に対応した部分領域を前記表示手段のモニタ画面内に設定する部分領域設定ステップと、
前記モニタ画面の全体に前記第１の画像が表示された状態で、前記撮像手段により新たに撮像される第２の画像を前記部分領域内に表示する第２の制御ステップと、
を備えたことを特徴とする画像処理方法。
【請求項２３】
被写体を撮像する撮像手段と、前記撮像手段により撮像される被写体の画像をモニタ表示する表示手段と、を備えた撮像装置を制御するプログラムであって、
前記撮像装置を、
前記表示手段のモニタ画面内に任意の部分領域を設定する部分領域設定手段と、
前記表示手段の前記モニタ画面の全体に第１の画像を表示する第１の制御手段と、
前記第１の制御手段により前記モニタ画面の全体に前記第１の画像が表示された状態で、前記撮像手段により新たに撮像される第２の画像を前記部分領域設定手段により設定された部分領域内に表示する第２の制御手段と、
前記部分領域設定手段により設定された部分領域に対応する前記第１の画像内の部分領域に前記第２の画像が挿入された形態の画像データとして、前記第１の画像と前記第２の画像とを対応付けて記録する記録制御手段と、
して機能させることを特徴とするプログラム。
【請求項２４】
被写体を撮像する撮像手段と、前記撮像手段により撮像される被写体の画像をモニタ表示する表示手段と、を備えた撮像装置を制御するプログラムであって、
前記撮像装置を、
前記表示手段の前記モニタ画面の全体に前記表示手段により撮像される第１の画像を表示する第１の制御手段と、
前記第１の制御手段により表示されている前記第１の画像の中で動きのある部分を検出する動き部分検出手段と、
前記動き部分検出手段によって検出された動き部分に対応した部分領域を前記表示手段のモニタ画面内に設定する部分領域設定手段と、
前記第１の制御手段により前記モニタ画面の全体に前記第１の画像が表示された状態で、前記撮像手段により新たに撮像される第２の画像を前記部分領域設定手段により設定された部分領域内に表示する第２の制御手段と、
して機能させることを特徴とするプログラム。
【請求項２５】
被写体を撮像する撮像手段と、前記撮像手段により撮像される被写体の画像をモニタ表示する表示手段と、を備えた撮像装置を制御するプログラムであって、
前記撮像装置を、
前記表示手段の前記モニタ画面の全体に前記撮像手段により撮像された第１の画像を表示する第１の制御手段と、
前記表示手段の前記モニタ画面の全体に前記第１の画像が表示された状態で、該モニタ画面内に任意の部分領域を設定する部分領域設定手段と、
前記撮像手段により新たに撮像される画像全体の中から前記部分領域設定手段により設定された部分領域に対応する部分画像を抽出して第２の画像として該部分領域内に表示する第２の制御手段と、
前記部分領域設定手段により設定された部分領域に対応する前記第１の画像内の部分領域に前記第２の画像が挿入された形態の画像データとして、前記第１の画像と前記第２の画像とを対応付けて記録する記録制御手段と、
して機能させることを特徴とするプログラム。
【請求項２６】
被写体を撮像する撮像手段と、前記撮像手段により撮像される被写体の画像をモニタ表示する表示手段と、を備えた撮像装置を制御するプログラムであって、
前記撮像装置を、
前記表示手段のモニタ画面内に複数の部分領域を設定する部分領域設定手段と、
前記撮像手段により最初に撮像される画像を前記部分領域設定手段により設定された複数の部分領域の１つに表示し、前記撮像手段により次に撮像される画像を前記部分領域設定手段により設定された残りの部分領域の１つに表示する制御手段と、
前記部分領域設定手段により設定された複数の部分領域の各々に前記制御手段により撮像された複数の画像が挿入された形態の画像データとして、前記第１の画像と前記第２の画像とを対応付けて記録する記録制御手段と、
して機能させることを特徴とするプログラム。
【手続補正２】
【補正対象書類名】明細書
【補正対象項目名】０００６
【補正方法】変更
【補正の内容】
【０００６】
本発明は、撮像装置において、被写体を撮像する撮像手段と、前記撮像手段により撮像される被写体の画像をモニタ表示する表示手段と、前記表示手段のモニタ画面内に任意の部分領域を設定する部分領域設定手段と、前記表示手段の前記モニタ画面の全体に第１の画像を表示する第１の制御手段と、前記第１の制御手段により前記モニタ画面の全体に前記第１の画像が表示された状態で、前記撮像手段により新たに撮像される第２の画像を前記部分領域設定手段により設定された部分領域内に表示する第２の制御手段と、前記部分領域設定手段により設定された部分領域に対応する前記第１の画像内の部分領域に前記第２の画像が挿入された形態の画像データとして、前記第１の画像と前記第２の画像とを対応付けて記録する記録制御手段と、を具備したことを特徴とする。
【手続補正３】
【補正対象書類名】明細書
【補正対象項目名】０００７
【補正方法】変更
【補正の内容】
【０００７】
また、上記撮像装置において、前記第１の制御手段は、前記撮像手段により撮像された第１の画像を前記モニタ画面の全体に表示し、前記記録制御手段は、前記撮像手段により撮像された第１の画像を前記第２の画像と対応付けて記録することを特徴とする。
【手続補正４】
【補正対象書類名】明細書
【補正対象項目名】０００８
【補正方法】変更
【補正の内容】
【０００８】
また、上記撮像装置において、前記第１の制御手段は、前記第１の画像である第１の静止画像を前記モニタ画面の全体に表示し、前記第２の制御手段は、前記第１の制御手段により前記第１の静止画像が前記モニタ画面の全体に表示された状態で、前記撮像手段により逐次撮像される複数の画像を、前記第２の画像である第２の動画像として前記部分領域内に逐次表示していき、前記記録制御手段は、前記部分領域設定手段により設定された部分領域に対応する前記第１の静止画像内の部分領域に前記第２の動画像が挿入された形態の画像データとして、前記第１の静止画像と前記第２の動画像とを対応付けて記録することを特徴とする。
【手続補正５】
【補正対象書類名】明細書
【補正対象項目名】０００９
【補正方法】変更
【補正の内容】
【０００９】
また、上記撮像装置において、前記部分領域設定手段は、前記表示手段のモニタ画面の全体に前記第１の画像が表示された状態でのユーザ指示に応じて前記部分領域を任意に設定することを特徴とする。
【手続補正６】
【補正対象書類名】明細書
【補正対象項目名】００１０
【補正方法】変更
【補正の内容】
【００１０】
また、上記撮像装置において、前記記録制御手段は、前記撮像手段により撮像される画像全体の中から前記部分領域設定手段により設定された部分領域に対応する部分画像を抽出して前記第２の画像として記録することを特徴とする。
【手続補正７】
【補正対象書類名】明細書
【補正対象項目名】００１１
【補正方法】変更
【補正の内容】
【００１１】
また、上記撮像装置において、前記記録手段に記録された画像データの再生が指示された場合に、該画像データに含まれる前記第１の画像を再生して表示領域の全体に表示するとともに、該画像データに含まれる前記第２の画像を再生して、前記部分領域設定手段により設定された部分領域に対応する前記第１の画像内の部分領域に表示させる再生手段を更に備えたことを特徴とする。
【手続補正８】
【補正対象書類名】明細書
【補正対象項目名】００１２
【補正方法】変更
【補正の内容】
【００１２】
また、上記撮像装置において、前記再生手段は、前記記録手段に記録された画像データの再生が指示された場合に、該画像データに含まれる前記第１の画像を再生して表示領域の全体に表示した後、所定のタイミングで該画像データに含まれる前記第２の画像を再生して、前記部分領域設定手段により設定された部分領域に対応する前記第１の画像内の部分領域に表示させることを特徴とする。
【手続補正９】
【補正対象書類名】明細書
【補正対象項目名】００１３
【補正方法】変更
【補正の内容】
【００１３】
また、上記撮像装置において、前記記録手段に記録された画像データの再生が指示された場合に、該画像データに第１の静止画像と第２の動画像が含まれていた場合に、表示領域の全体に前記第１の静止画像を静止画として再生表示した後、前記部分領域設定手段により設定された部分領域に対応する前記第１の静止画像内の部分領域に、前記第２の動画像を所定のタイミングで動画として再生表示させる再生手段を更に備えたことを特徴とする。
【手続補正１０】
【補正対象書類名】明細書
【補正対象項目名】００１４
【補正方法】変更
【補正の内容】
【００１４】
また、上記撮像装置において、前記第１の制御手段により前記第１の画像の撮像および表示が行われる前、または、前記第２の制御手段により前記第２の画像の撮像および表示が行われた後に、前記モニタ画面の全体に対応する第３の画像を前記撮像手段により撮像する第３の制御手段を更に備え、前記記録制御手段は、前記画像データとして、前記第１の画像と前記第２の画像と前記第３の画像とを対応付けて記録することを特徴とする。
【手続補正１１】
【補正対象書類名】明細書
【補正対象項目名】００１５
【補正方法】変更
【補正の内容】
【００１５】
また、上記撮像装置において、前記記録手段に記録された画像データの再生が指示された場合に、該画像データに第１の静止画像と第２の動画像が含まれていた場合に、表示領域の全体に前記第１の静止画像を静止画として再生表示した後、前記部分領域設定手段により設定された部分領域に対応する前記第１の静止画像内の部分領域に、前記第２の動画像を所定のタイミングで動画として再生表示させる再生手段を更に備え、前記再生手段は、再生が指示された画像データに前記第３の画像が含まれていた場合に、前記第１の画像の再生表示を開始する前、または、前記第２の画像の再生表示を終了した後に、前記第３の画像を再生表示させることを特徴とする。
【手続補正１２】
【補正対象書類名】明細書
【補正対象項目名】００１６
【補正方法】変更
【補正の内容】
【００１６】
また、上記撮像装置において、前記第１の制御手段による前記第１の画像の撮影または表示のタイミングに対する前記第２の制御手段による前記第２の画像の撮影または表示のタイミングをスケジュール設定するスケジュール設定手段を更に備え、前記第２の制御手段は、前記第１の制御手段により前記第１の画像の撮影または表示が行われた後、前記スケジュール設定手段により設定された撮影または表示のタイミングに従って、前記第２の画像の撮影または表示を行うことを特徴とする。
【手続補正１３】
【補正対象書類名】明細書
【補正対象項目名】００１７
【補正方法】変更
【補正の内容】
【００１７】
また、本発明は、撮像装置において、被写体を撮像する撮像手段と、前記撮像手段により撮像される被写体の画像をモニタ表示する表示手段と、前記表示手段の前記モニタ画面の全体に前記表示手段により撮像される第１の画像を表示する第１の制御手段と、前記第１の制御手段により表示されている前記第１の画像の中で動きのある部分を検出する動き部分検出手段と、前記動き部分検出手段によって検出された動き部分に対応した部分領域を前記表示手段のモニタ画面内に設定する部分領域設定手段と、前記第１の制御手段により前記モニタ画面の全体に前記第１の画像が表示された状態で、前記撮像手段により新たに撮像される第２の画像を前記部分領域設定手段により設定された部分領域内に表示する第２の制御手段と、を具備したことを特徴とする。
【手続補正１４】
【補正対象書類名】明細書
【補正対象項目名】００１８
【補正方法】変更
【補正の内容】
【００１８】
また、上記撮像装置において、前記部分領域設定手段により設定された部分領域に対応する前記第１の画像内の部分領域に前記第２の画像が挿入された形態の画像データとして、前記第１の画像と前記第２の画像とを対応付けて記録する記録制御手段を更に備えたことを特徴とする。
【手続補正１５】
【補正対象書類名】明細書
【補正対象項目名】００１９
【補正方法】変更
【補正の内容】
【００１９】
また、上記撮像装置において、前記部分領域のサイズを指定するサイズ指定手段を更に備え、前記部分領域設定手段は、前記動き部分検出手段によって検出された動き部分に対応する前記サイズ指定手段により指定されたサイズの部分領域を前記表示手段のモニタ画面内に設定することを特徴とする。
【手続補正１６】
【補正対象書類名】明細書
【補正対象項目名】００２０
【補正方法】変更
【補正の内容】
【００２０】
また、上記撮像装置において、動き量を指定する動き量指定手段を更に備え、前記動き部分検出手段は、前記静止画の中で前記動き量指定手段によって指定された動き量以上の動きのある部分を検出することを特徴とする。
【手続補正１７】
【補正対象書類名】明細書
【補正対象項目名】００２１
【補正方法】変更
【補正の内容】
【００２１】
また、上記撮像装置において、前記部分領域設定手段は、前記動き部分検出手段によって検出された動き部分の中心を求め、その中心位置に合わせて前記サイズ指定手段によって指定されたサイズを有する部分領域を設定することを特徴とする。
【手続補正１８】
【補正対象書類名】明細書
【補正対象項目名】００２２
【補正方法】変更
【補正の内容】
【００２２】
また、上記撮像装置において、前記第１の制御手段は、前記第１の画像である第１の静止画像を前記モニタ画面の全体に表示し、前記第２の制御手段は、前記第１の制御手段により前記第１の静止画像が前記モニタ画面の全体に表示された状態で、前記撮像手段により逐次撮像される複数の画像を、前記第２の画像である第２の動画像として前記部分領域内に逐次表示していき、前記記録制御手段は、前記部分領域設定手段により設定された部分領域に対応する前記第１の静止画像内の部分領域に前記第２の動画像が挿入された形態の画像データとして、前記第１の静止画像と前記第２の動画像とを対応付けて記録することを特徴とする。
【手続補正１９】
【補正対象書類名】明細書
【補正対象項目名】００２３
【補正方法】変更
【補正の内容】
【００２３】
また、上記撮像装置において、前記記録手段に記録された画像データの再生が指示された場合に、該画像データに第１の静止画像と第２の動画像が含まれていた場合に、表示領域の全体に前記第１の静止画像を静止画として再生表示した後、前記部分領域設定手段により設定された部分領域に対応する前記第１の静止画像内の部分領域に、前記第２の動画像を所定のタイミングで動画として再生表示させる再生手段を更に備えたことを特徴とする。
【手続補正２０】
【補正対象書類名】明細書
【補正対象項目名】００２４
【補正方法】変更
【補正の内容】
【００２４】
また、本発明は、撮像装置において、被写体を撮像する撮像手段と、前記撮像手段により撮像される被写体の画像をモニタ表示する表示手段と、前記表示手段の前記モニタ画面の全体に前記撮像手段により撮像された第１の画像を表示する第１の制御手段と、前記表示手段の前記モニタ画面の全体に前記第１の画像が表示された状態で、該モニタ画面内に任意の部分領域を設定する部分領域設定手段と、前記撮像手段により新たに撮像される画像全体の中から前記部分領域設定手段により設定された部分領域に対応する部分画像を抽出して第２の画像として該部分領域内に表示する第２の制御手段と、前記部分領域設定手段により設定された部分領域に対応する前記第１の画像内の部分領域に前記第２の画像が挿入された形態の画像データとして、前記第１の画像と前記第２の画像とを対応付けて記録する記録制御手段と、を具備したことを特徴とする。
【手続補正２１】
【補正対象書類名】明細書
【補正対象項目名】００２５
【補正方法】変更
【補正の内容】
【００２５】
また、本発明は、撮像装置において、被写体を撮像する撮像手段と、前記撮像手段により撮像される被写体の画像をモニタ表示する表示手段と、前記表示手段のモニタ画面内に複数の部分領域を設定する部分領域設定手段と、前記撮像手段により撮像される複数の画像を前記部分領域設定手段により設定された複数の部分領域内に表示する制御手段と、前記部分領域設定手段により設定された複数の部分領域の各々に前記制御手段により撮像された複数の画像が挿入された形態の画像データとして、前記第１の画像と前記第２の画像とを対応付けて記録する記録制御手段と、を備え、前記制御手段は、前記撮像手段により最初に撮像される画像を前記部分領域設定手段により設定された複数の部分領域の１つに表示し、前記撮像手段により次に撮像される画像を前記部分領域設定手段により設定された残りの部分領域の１つに表示することを特徴とする。
【手続補正２２】
【補正対象書類名】明細書
【補正対象項目名】００２６
【補正方法】変更
【補正の内容】
【００２６】
本発明によれば、撮影時のモニタ画面上において、ユーザが撮影したい部分にエリアを任意に設定しておくことにより、全画面に対応する第１の画像の撮影後に、その第１の画像の中で前記設定されたエリアに対応した部分の第２の画像の撮影を行うことができる。
【手続補正２３】
【補正対象書類名】明細書
【補正対象項目名】００２７
【補正方法】変更
【補正の内容】
【００２７】
これにより、第１の画像内に第２の画像を嵌め込んだユニークな画像データを簡単に得ることができ、また、部分的な動画撮影によりメモリ容量を節約して撮影時間を延ばすことができるなどの効果が奏せられる。
また、第１の画像を静止画像とし、第２の画像を動画像とすることにより、静止画の中に動画を嵌め込んだユニークな画像データを簡単に得ることも可能となる。